(57)【要約】      （修正有）【課題】車体の表面の一体性を損なわず、設置の安定性が良好であり、自動車の遮光ブラインドに用いられる挿設装置を提供する。【解決手段】自動車の遮光ブラインドを挿設するのに用いられる挿設装置１は、車体の遮光ブラインドのリングと接合可能であり、一体に形成されており、一つの接合部１１と、一つの挿入片１２と、一つの前側板部１３と、を備える。接合部１１は遮光ブラインドのリングと接合することが可能である。さらに、遮光ブラインドのリングに嵌合する嵌合溝１１１を有し、嵌合溝は、二つの側壁１１２を有する。二つの側壁は、上方に頂壁１１３が設けられており、下方に開口１１４が形成されている。また、挿入片１２は、接合部１１の後側の上方位置に設けられ、前側板部１３は、接合部の前方位置に設けられている。【選択図】図１
0003201566.tif 000002
【実用新案登録請求の範囲】
【請求項１】
遮光ブラインドを挿設するのに用いられ、一体に形成された挿設装置であって、
一つの接合部と、一つの挿入片と、を備え、
前記接合部は、前記遮光ブラインドのリングと接合可能であり、
前記挿入片は、前記接合部の後側の上方位置に設けられていることを特徴とする挿設装置。
【請求項２】
前記接合部の前方に設けられている前側板部をさらに備えることを特徴とする、請求項１に記載の挿設装置。
【請求項３】
前記接合部は、前記遮光ブラインドのリングに嵌合する嵌合溝を有し、
前記嵌合溝は、２つの側壁を有し、
前記側壁は、上方に頂壁が形成されており、下方に開口が形成されており、下方の内側に前記嵌合溝側に向いて突出している引掛け縁が設けられており、底端に前記嵌合溝に向いている位置決め斜辺が設けられていることを特徴とする、請求項１または２に記載の挿設装置。
【請求項４】
前記挿入片は、前記接合部の前記頂壁から上方向に向いて垂直に延伸していることを特徴とする、請求項３に記載の挿設装置。
【請求項５】
前記前側板部は、前記接合部の前記頂壁から前方に向いて延出していることを特徴とする、請求項３に記載の挿設装置。
【考案の詳細な説明】
【技術分野】
【０００１】
本考案は、挿設装置に関し、詳しくは、自動車の遮光ブラインドを挿設するのに用いられる挿設装置に関する。
【背景技術】
【０００２】
自動車の遮光ブラインドは、通常車窓に設置され、炎天下に外部の日さしが直接車窓から車内に射し込み車内が蒸し暑くなることを阻止することが可能である。従来、遮光ブラインドの設置および取り外し方式の利便性の工夫が考案されている。たとえば、静電気を利用し車窓に貼付する遮光ブラインドがあるが、当該貼付方式では付着性が弱く、容易に脱離してしまう。また、従来のリングの内縁にメッシュ体を設けた遮光ブラインドでは、車窓の周縁位置に引掛け具を貼付し、リングを展開して車窓に取り付けることができ、リングを引掛け具に引掛けることで位置決めができる。かつ、使用しないときには、リングを引掛け具から取り外して離すことができる。
【０００３】
しかしながら、前述の構造では引掛け具を車体に貼付することが必要のため、車体の表面の整いと一体性を損ない、かつ、車体の表面が清潔でない場合や粘着料が一定期間を経過して硬化すると、付着性が弱くなり脱離してしまい、設置の安定性が良くないという欠点がある。
【考案の概要】
【考案が解決しようとする課題】
【０００４】
本考案の目的は、車体の表面の一体性を損なわず、設置の安定性が良好であり、自動車の遮光ブラインドに用いられる挿設装置を提供することにある。
【課題を解決するための手段】
【０００５】
本考案の挿設装置は、車体の遮光ブラインドのリングと接合可能であり、一体に形成されており、一つの接合部と、一つの挿入片と、一つの前側板部と、を備える。接合部は、遮光ブラインドのリング部と接合することが可能であり、遮光ブラインドのリングに嵌合する嵌合溝を有する。挿入片は、接合部の後側の上方位置に設けられている。前側板部は、接合部の前方位置に設けられている。
【０００６】
本考案を実施する場合、接合部の嵌合溝を遮光ブラインドのリングに嵌合し、挿設装置と遮光ブラインドとを組み合わせることができる。遮光ブラインドは必要に応じて１つまたは１つ以上の挿設装置に設けてもよい。設置する際に遮光ブラインドを展開して車窓の内側に置くことができる。車窓のガラスと車窓との間の溝の隙間に挿入片を嵌め込むことができる。このように、遮光ブラインドが離脱することを防止するとともに、装着の利便性と安定性を向上させることができる。また、遮光ブラインドを取り外すときには、ユーザが手を用いて突出した前側板部をつまむだけで容易に挿入片を車窓の溝から離脱させることができるため、遮光ブラインドの取り外しがより便利である。
【図面の簡単な説明】
【０００７】
【図１】本考案に係る挿設装置の立体図である。
【図２】本考案に係る挿設装置を遮光ブラインドと組み合わせた状態を示す図である。
【図３】図２のＡ−Ａ線断面図である。
【図４】本考案に係る遮光ブラインドを車窓に装着した状態を示す図である。
【図５】本考案に係る遮光ブラインドを取り外す状態を示す図である。
【考案を実施するための形態】
【０００８】
（一実施形態）
図１〜３を参照して説明する。本考案の挿設装置１は、車体の遮光ブラインド２のリング２１と接合し、また、挿設装置１は一体に形成され、一つの接合部１１と、一つの挿入片１２と、一つの前側板部１３と、を有し、接合部１１は遮光ブラインド２のリング２１部分と接合することが可能である。さらに、遮光ブラインド２のリング２１に嵌合する嵌合溝１１１を具備する。嵌合溝１１１は、２つの側壁１１２を有し、２つの側壁１１２の上方に頂壁１１３を有し、下方に開口１１４を有し、２つの側壁１１２の下方内側に嵌合溝１１１の方向に向けて凸出して引掛け縁１１５が設けられ、２つの側壁１１２の底端に嵌合溝１１１に向けて位置決め斜辺１１６が設けられる。また、挿入片１２は、接合部１１の後側の上方位置に設けられ、接合部１１の頂壁１１３から上方向に向かって垂直に延伸する。また、前側板部１３は、接合部１１の前方位置に設けられ、接合部１１の頂壁１１３から前方に向かって延出する。
【０００９】
本考案を実施する場合、接合部１１の嵌合溝１１１を遮光ブラインド２のリング２１に嵌合することができ、位置決め斜辺１１６を用いて容易にリング２１を嵌合溝１１１に嵌め込むことができる。また、嵌合した後は引掛け縁１１５とリング２１によって挟み掛けることで離脱することを防止するこができる。本考案の遮光ブラインド２は、対応する車種の車窓３の寸法に合わせて装着することができ、必要に応じて１つまたは１つ以上の挿設装置１を設けてもよい。
【００１０】
図４に示すように、本考案を設置する場合、遮光ブラインド２を展開して車窓３の内側に置くことができ、挿入片１２が車窓３のガラス３１と車窓３の溝３２の隙間に嵌め込むことができる。このように、遮光ブラインド２が離脱することを防止するとともに、装着の利便性と安定性を向上させることができる。
【００１１】
図５に示すように、本考案の遮光ブラインド２を取り外すときには、ユーザの手を用いて凸出した前側板部１３をつまむだけで容易に挿入片１２を車窓３の溝３２から離脱させることができるため、遮光ブラインド２の取り外しがより便利である。
【００１２】
本考案では、別途引掛け具を車体に設置する必要がないため、装着の利便性がより高く、かつ車体の表面の一体性を損なうことがない。また、本考案では、従来の製品のように、引掛け具が脱落して装着できないことがないため、信頼性がより高い。なお、前述の実施例は、本考案の一例であって、本考案を限定するものではなく、本考案の思想をもとに同様の効果を得るために適宜改変した形態も本考案の範囲に含まれるべきである。
【符号の説明】
【００１３】
１  挿設装置、
１１  接合部、
１１１  嵌合溝、
１１２  側壁、
１１３  頂壁、
１１４  開口、
１１５  引掛け縁、
１１６  位置決め斜辺、
１２  挿入片、
１３  前側板部、
２  ブラインド、
２１  リング、
３  車窓、
３１  ガラス、
３２  溝。
【図１】
0003201566.tif 000003
【図２】
0003201566.tif 000004
【図３】
0003201566.tif 000005
【図４】
0003201566.tif 000006
【図５】
0003201566.tif 000007